【手続補正書】
【提出日】平成29年2月3日(2017.2.3)
【手続補正１】
【補正対象書類名】特許請求の範囲
【補正対象項目名】全文
【補正方法】変更
【補正の内容】
【特許請求の範囲】
【請求項１】
ビデオ情報をコーディングするように構成された装置であって、
ビデオ情報を記憶するように構成されたメモリと、
前記メモリに動作可能に結合され、
少なくとも１つのタイプのレイヤ間予測（ＩＬＰ）を用いて、予測される現在のピクチャを識別することであって、前記タイプのＩＬＰはレイヤ間動き予測（ＩＬＭＰ）またはレイヤ間サンプル予測（ＩＬＳＰ）の１つまたは複数を備えるものである、識別することと、
（１）ＩＬＭＰを用いて前記現在のピクチャを予測するためにリサンプリングされて用いられることが可能であるピクチャの第１の最大カウントに基づいて、ＩＬＭＰを用いて前記現在のピクチャを予測するためにリサンプリングされて用いられるピクチャの第１のカウントと、（２）ＩＬＳＰを用いて前記現在のピクチャを予測するためにリサンプリングされて用いられることが可能であるピクチャの第２の最大カウントに基づいて、ＩＬＳＰを用いて前記現在のピクチャを予測するためにリサンプリングされて用いられるピクチャの第２のカウントとを制御することと
をするように構成されるコンピューティングハードウェアとを備え、ここにおいて前記コンピューティングハードウェアは、ＩＬＭＰを用いて前記現在のピクチャを予測するためにリサンプリングされて用いられるピクチャの前記第１のカウントを、ＩＬＳＰを用いて前記現在のピクチャを予測するためにリサンプリングされて用いられるピクチャの前記第２のカウントと無関係に制御するように構成される、装置。
【請求項２】
ＩＬＭＰを用いて前記現在のピクチャを予測するためにリサンプリングされて用いられることが可能であるピクチャの前記第１の最大カウントと、ＩＬＳＰを用いて前記現在のピクチャを予測するためにリサンプリングされて用いられることが可能であるピクチャの前記第２の最大カウントとは同じである、請求項１に記載の装置。
【請求項３】
ＩＬＭＰを用いて前記現在のピクチャを予測するためにリサンプリングされて用いられることが可能であるピクチャの前記第１の最大カウントと、ＩＬＳＰを用いて前記現在のピクチャを予測するためにリサンプリングされて用いられることが可能であるピクチャの前記第２の最大カウントとは異なる、請求項１に記載の装置。
【請求項４】
前記コンピューティングハードウェアは、少なくとも１つのリサンプリングされたピクチャを用いて前記現在のピクチャを予測するようにさらに構成される、請求項１に記載の装置。
【請求項５】
前記少なくとも１つのリサンプリングされたピクチャは、ＩＬＭＰを用いて前記現在のピクチャを予測するために用いられる、請求項４に記載の装置。
【請求項６】
前記少なくとも１つのリサンプリングされたピクチャは、ＩＬＳＰを用いて前記現在のピクチャを予測するために用いられる、請求項４に記載の装置。
【請求項７】
前記コンピューティングハードウェアは、ＩＬＰを用いて前記現在のピクチャを予測するためにリサンプリングされて用いられるピクチャの第３のカウントを制御するようにさらに構成され、ここにおいてＩＬＰを用いて前記現在のピクチャを予測するためにリサンプリングされて用いられるピクチャの前記第３のカウントは、ＩＬＳＰを用いて前記現在のピクチャを予測するためにリサンプリングされて用いられるピクチャの前記第２のカウントを含むが、ＩＬＭＰを用いて前記現在のピクチャを予測するためにリサンプリングされて用いられるピクチャの前記第１のカウントは含まない、請求項１に記載の装置。
【請求項８】
前記コンピューティングハードウェアは、ビットストリーム内の１つまたは複数のシンタックス要素を符号化するようにさらに構成される、請求項１に記載の装置。
【請求項９】
前記コンピューティングハードウェアは、ビットストリーム内の１つまたは複数のシンタックス要素を復号するようにさらに構成される、請求項１に記載の装置。
【請求項１０】
前記装置は、デスクトップコンピュータ、ノートブックコンピュータ、ラップトップコンピュータ、タブレットコンピュータ、セットトップボックス、電話ハンドセット、スマートフォン、スマートパッド、テレビ、カメラ、ディスプレイデバイス、デジタルメディアプレーヤ、ビデオゲームコンソール、またはビデオストリーミングデバイスのうちの１つまたは複数を備える、請求項１に記載の装置。
【請求項１１】
ビデオ情報をコーディングする方法であって、
少なくとも１つのタイプのレイヤ間予測（ＩＬＰ）を用いて、予測される現在のピクチャを識別することであって、前記タイプのＩＬＰはレイヤ間動き予測（ＩＬＭＰ）またはレイヤ間サンプル予測（ＩＬＳＰ）の１つまたは複数を備えるものである、識別することと、
（１）ＩＬＭＰを用いて前記現在のピクチャを予測するためにリサンプリングされて用いられることが可能であるピクチャの第１の最大カウントに基づいて、ＩＬＭＰを用いて前記現在のピクチャを予測するためにリサンプリングされて用いられるピクチャの第１のカウントと、（２）ＩＬＳＰを用いて前記現在のピクチャを予測するためにリサンプリングされて用いられることが可能であるピクチャの第２の最大カウントに基づいて、ＩＬＳＰを用いて前記現在のピクチャを予測するためにリサンプリングされて用いられるピクチャの第２のカウントとを制御することと
を備え、ここにおいてコンピューティングハードウェアは、ＩＬＭＰを用いて前記現在のピクチャを予測するためにリサンプリングされて用いられるピクチャの前記第１のカウントを、ＩＬＳＰを用いて前記現在のピクチャを予測するためにリサンプリングされて用いられるピクチャの前記第２のカウントと無関係に制御するように構成される、方法。
【請求項１２】
ＩＬＭＰを用いて前記現在のピクチャを予測するためにリサンプリングされて用いられることが可能であるピクチャの前記第１の最大カウントと、ＩＬＳＰを用いて前記現在のピクチャを予測するためにリサンプリングされて用いられることが可能であるピクチャの前記第２の最大カウントとは同じである、請求項１１に記載の方法。
【請求項１３】
ＩＬＭＰを用いて前記現在のピクチャを予測するためにリサンプリングされて用いられることが可能であるピクチャの前記第１の最大カウントと、ＩＬＳＰを用いて前記現在のピクチャを予測するためにリサンプリングされて用いられることが可能であるピクチャの前記第２の最大カウントとは異なる、請求項１１に記載の方法。
【請求項１４】
少なくとも１つのリサンプリングされたピクチャを用いて前記現在のピクチャを予測することをさらに備える、請求項１１に記載の方法。
【請求項１５】
前記少なくとも１つのリサンプリングされたピクチャは、ＩＬＭＰを用いて前記現在のピクチャを予測するために用いられる、請求項１４に記載の方法。
【請求項１６】
前記少なくとも１つのリサンプリングされたピクチャは、ＩＬＳＰを用いて前記現在のピクチャを予測するために用いられる、請求項１４に記載の方法。
【請求項１７】
ＩＬＰを用いて前記現在のピクチャを予測するためにリサンプリングされて用いられるピクチャの第３のカウントを制御することをさらに備え、ここにおいてＩＬＰを用いて前記現在のピクチャを予測するためにリサンプリングされて用いられるピクチャの前記第３のカウントは、ＩＬＳＰを用いて前記現在のピクチャを予測するためにリサンプリングされて用いられるピクチャの前記第２のカウントを含むが、ＩＬＭＰを用いて前記現在のピクチャを予測するためにリサンプリングされて用いられるピクチャの前記第１のカウントは含まない、請求項１１に記載の方法。
【請求項１８】
ビットストリーム内の１つまたは複数のシンタックス要素を符号化することをさらに備える、請求項１１に記載の方法。
【請求項１９】
ビットストリーム内の１つまたは複数のシンタックス要素を復号することをさらに備える、請求項１１に記載の方法。
【請求項２０】
コンピュータハードウェアを備えるコンピューティングハードウェア上で実行されると、前記コンピューティングハードウェアに、
少なくとも１つのタイプのレイヤ間予測（ＩＬＰ）を用いて、予測される現在のピクチャを識別することであって、前記タイプのＩＬＰはレイヤ間動き予測（ＩＬＭＰ）またはレイヤ間サンプル予測（ＩＬＳＰ）の１つまたは複数を備えるものである、識別することと、
（１）ＩＬＭＰを用いて前記現在のピクチャを予測するためにリサンプリングされて用いられることが可能であるピクチャの第１の最大カウントに基づいて、ＩＬＭＰを用いて前記現在のピクチャを予測するためにリサンプリングされて用いられるピクチャの第１のカウントと、（２）ＩＬＳＰを用いて前記現在のピクチャを予測するためにリサンプリングされて用いられることが可能であるピクチャの第２の最大カウントに基づいて、ＩＬＳＰを用いて前記現在のピクチャを予測するためにリサンプリングされて用いられるピクチャの第２のカウントとを制御することと
をさせる命令を備え、ここにおいて前記コンピューティングハードウェアは、ＩＬＭＰを用いて前記現在のピクチャを予測するためにリサンプリングされて用いられるピクチャの前記第１のカウントを、ＩＬＳＰを用いて前記現在のピクチャを予測するためにリサンプリングされて用いられるピクチャの前記第２のカウントと無関係に制御するように構成される、非一時的コンピュータ可読媒体。
【請求項２１】
ＩＬＭＰを用いて前記現在のピクチャを予測するためにリサンプリングされて用いられることが可能であるピクチャの前記第１の最大カウントと、ＩＬＳＰを用いて前記現在のピクチャを予測するためにリサンプリングされて用いられることが可能であるピクチャの前記第２の最大カウントとは同じである、請求項２０に記載のコンピュータ可読媒体。
【請求項２２】
ＩＬＭＰを用いて前記現在のピクチャを予測するためにリサンプリングされて用いられることが可能であるピクチャの前記第１の最大カウントと、ＩＬＳＰを用いて前記現在のピクチャを予測するためにリサンプリングされて用いられることが可能であるピクチャの前記第２の最大カウントとは異なる、請求項２０に記載のコンピュータ可読媒体。
【請求項２３】
前記コンピューティングハードウェアは、ＩＬＰを用いて前記現在のピクチャを予測するためにリサンプリングされて用いられるピクチャの第３のカウントを制御するようにさらに構成され、ここにおいてＩＬＰを用いて前記現在のピクチャを予測するためにリサンプリングされて用いられるピクチャの前記第３のカウントは、ＩＬＳＰを用いて前記現在のピクチャを予測するためにリサンプリングされて用いられるピクチャの前記第２のカウントを含むが、ＩＬＭＰを用いて前記現在のピクチャを予測するためにリサンプリングされて用いられるピクチャの前記第１のカウントは含まない、請求項２０に記載のコンピュータ可読媒体。
【請求項２４】
ビデオ情報をコーディングするように構成された装置であって、
少なくとも１つのタイプのレイヤ間予測（ＩＬＰ）を用いて、予測される現在のピクチャを識別するための手段であって、前記タイプのＩＬＰはレイヤ間動き予測（ＩＬＭＰ）またはレイヤ間サンプル予測（ＩＬＳＰ）の１つまたは複数を備えるものである、識別するための手段と、
（１）ＩＬＭＰを用いて前記現在のピクチャを予測するためにリサンプリングされて用いられることが可能であるピクチャの第１の最大カウントに基づいて、ＩＬＭＰを用いて前記現在のピクチャを予測するためにリサンプリングされて用いられるピクチャの第１のカウントと、（２）ＩＬＳＰを用いて前記現在のピクチャを予測するためにリサンプリングされて用いられることが可能であるピクチャの第２の最大カウントに基づいて、ＩＬＳＰを用いて前記現在のピクチャを予測するためにリサンプリングされて用いられるピクチャの第２のカウントとを制御するための手段とを備え、ここにおいてコンピューティングハードウェアは、ＩＬＭＰを用いて前記現在のピクチャを予測するためにリサンプリングされて用いられるピクチャの前記第１のカウントを、ＩＬＳＰを用いて前記現在のピクチャを予測するためにリサンプリングされて用いられるピクチャの前記第２のカウントと無関係に制御するように構成される、装置。
【請求項２５】
ＩＬＭＰを用いて前記現在のピクチャを予測するためにリサンプリングされて用いられることが可能であるピクチャの前記第１の最大カウントと、ＩＬＳＰを用いて前記現在のピクチャを予測するためにリサンプリングされて用いられることが可能であるピクチャの前記第２の最大カウントとは同じである、請求項２４に記載の装置。
【請求項２６】
ＩＬＭＰを用いて前記現在のピクチャを予測するためにリサンプリングされて用いられることが可能であるピクチャの前記第１の最大カウントと、ＩＬＳＰを用いて前記現在のピクチャを予測するためにリサンプリングされて用いられることが可能であるピクチャの前記第２の最大カウントとは異なる、請求項２４に記載の装置。
【請求項２７】
制御するための前記手段は、ＩＬＰを用いて前記現在のピクチャを予測するためにリサンプリングされて用いられるピクチャの第３のカウントを制御するようにさらに構成され、ここにおいてＩＬＰを用いて前記現在のピクチャを予測するためにリサンプリングされて用いられるピクチャの前記第３のカウントは、ＩＬＳＰを用いて前記現在のピクチャを予測するためにリサンプリングされて用いられるピクチャの前記第２のカウントを含むが、ＩＬＭＰを用いて前記現在のピクチャを予測するためにリサンプリングされて用いられるピクチャの前記第１のカウントは含まない、請求項２４に記載の装置。